(57)【要約】【課題】  無段変速機の変速要求により、変速用目標入力回転数をステップ的に変化させる場合でも、フィードフォワード制御を実行可能にする。【解決手段】  無段変速機の入力回転数と出力回転数との間の変速比を制御する場合に、フィードバック制御とフィードフォワード制御とをおこなう無段変速機の変速制御装置において、無段変速機の変速要求に基づいて変速用目標入力回転数の変化率を求める場合に、変速用目標入力回転数の変化率を所定条件により制限する変化率算出手段（ステップＳ１０２ないしステップＳ１０８）と、制限された変速用目標入力回転数の変化率に基づいて、フィードフォワード制御用の目標入力回転数を求める第１の変速制御手段（ステップＳ１０９）と、フィードフォワード制御用の目標入力回転数に基づいて、フィードバック制御用の目標入力回転数を求める第２の変速制御手段（ステップＳ１１０）とを有している。【選択図】  図１
2006144977.tif 000002
【特許請求の範囲】
【請求項１】
動力源の出力側に無段変速機が配置されており、この無段変速機の入力回転数と出力回転数との間の変速比を制御する場合に、目標入力回転数と実入力回転数との偏差に基づいて、前記実入力回転数を制御するフィードバック制御をおこなうとともに、目標入力回転数に基づくフィードフォワード制御をおこなう無段変速機の変速制御装置において、
前記無段変速機の変速比を変更する要求に基づいて変速用目標入力回転数の変化率を求める場合に、この変速用目標入力回転数の変化率を所定条件により制限する変化率算出手段と、
制限された変速用目標入力回転数の変化率に基づいて、前記フィードフォワード制御用の目標入力回転数を求める第１の変速制御手段と、
前記フィードフォワード制御用の目標入力回転数に基づいて、前記フィードバック制御用の目標入力回転数を求める第２の変速制御手段と
を有していることを特徴とする無段変速機の変速制御装置。
【請求項２】
前記無段変速機の実入力回転数を圧油の流量により制御する油圧室が設けられており、
前記変化率算出手段は、前記油圧室に供給される圧油の最大流量、または前記油圧室から排出される圧油の最大流量に基づいて、前記変速用目標入力回転数の変化率を制限する手段を含むことを特徴とする請求項１に記載の無段変速機の変速制御装置。
【請求項３】
前記無段変速機の実入力回転数を圧油の流量により制御する油圧室が設けられており、
前記変化率算出手段は、前記フィードバック制御を実行する場合を想定し、このフィードバック制御の実行時に前記油圧室に供給される圧油の流量または前記油圧室から排出される圧油の流量を算出し、算出された圧油の流量に基づいて、前記変速用目標入力回転数の変化率を制限する手段を含むことを特徴とする請求項１に記載の無段変速機の変速制御装置。
【請求項４】
前記第２の変速制御手段は、前記フィードフォワード制御用の目標入力回転数と、前記フィードフォワード制御の応答遅れとに基づいて、前記第フィードバック制御用の目標入力回転数を求める手段を含むことを特徴とする請求項１ないし３のいずれかに記載の無段変速機の変速制御装置。
【発明の詳細な説明】
【技術分野】
【０００１】
この発明は、入力回転数と出力回転数との間の変速比を無段階に制御することの可能な無段変速機の変速制御装置に関するものである。
【背景技術】
【０００２】
従来、駆動力源としてエンジンを搭載した車両においては、エンジンから車輪に至る動力伝達経路に、無段変速機を設けることが知られている。そして、要求駆動力に応じてエンジン出力を制御する場合に、無段変速機の変速比を無段階に制御することで、エンジンの燃費が最適燃費となるように、エンジン出力を制御することが可能である。このような無段変速機としては、ベルト式無段変速機およびトロイダル式無段変速機が知られており、そのベルト式無段変速機の変速制御装置の一例が、特許文献１に記載されている。
【０００３】
この特許文献１に記載された車両用無段変速機は、プライマリプーリおよびセカンダリプーリを備えている。ここで、プライマリプーリは、プライマリ軸に固定された固定円錐板と、プライマリ軸に対して軸方向に移動可能に取り付けられた可動円錐板とを有している。これに対して、セカンダリプーリは、セカンダリ軸に固定された固定円錐板と、セカンダリ軸に対して軸方向に移動可能に取り付けられた可動円錐板とを有している。そして、プライマリプーリおよびセカンダリプーリにはベルトが巻き掛けられている。さらに、プライマリ軸には、可動円錐板に面するプライマリ室が形成され、セカンダリ軸にも、可動円錐板に面するセカンダリ室が形成されている。
【０００４】
そして、プライマリ室に導入される圧油の流量に応じて可動円錐板が軸方向に移動されて、ベルトに対するプライマリプーリの有効径が調整される。また、セカンダリ室に導入される圧油の油圧に応じて可動円錐板が軸方向に移動されて、ベルトに対するセカンダリプーリの有効径が調整される。さらに、変速比制御バルブが設けられており、この変速比制御バルブは、プライマリデューティソレノイドにより制御される。このプライマリデューティソレノイドの制御により、プライマリ油圧室に供給される圧油の流量、およびプライマリ油圧室から排出される圧油の流量が調整される。
【０００５】
この特許文献１に記載された無段変速機の変速制御装置においては、プライマリプーリの定常目標入力回転数と過渡目標入力回転数が演算される。そして、過渡目標入力回転数とプライマリ回転数との差の絶対値が所定値以上か否かが判断され、この判断時に「ノー」と判定された場合は、フィードバック制御による目標デューティ圧の演算が実行される。前記判断時に「イエス」と判定された場合は、フィードフォワード制御による目標デューティ圧の演算が実行される。このように、特許文献１に記載されている無段変速機の変速制御装置においては、判断結果に基づいて、フィードバック制御またはフィードフォワード制御のいずれか一方が実行される。
【特許文献１】特開平５−１２６２３９号公報
【発明の開示】
【発明が解決しようとする課題】
【０００６】
上記特許文献１に記載されているような無段変速機の変速制御において、フィードバック制御およびフィードフォワード制御を並行しておこなうことも考えられる。例えば、フィードバック制御用目標入力回転数に基づいて、実入力回転数を制御するフィードバック制御と、変速用目標入力回転数の変化率に基づいてフィードフォワード制御用目標入力回転数を決定し、フィードフォワード制御用目標入力回転数に基づいて実入力回転数を制御するフィードフォワード制御とをおこなうことである。しかしながら、無段変速機の変速比を急激に変化させる要求が生じて、変速用目標入力回転数がステップ的に変化した場合は、その後、しばらくは変速用目標入力回転数が変化しないため、フィードフォワード項も略零となってしまう。このため、フィードフォワード制御がおこなえず、変速の過渡制御が不適当になる恐れがあった。
【０００７】
この発明は上記の事情を背景としてなされたものであり、無段変速機の変速比を急激に変化させる要求が生じて、変速用目標入力回転数をステップ的に変化させる場合でも、フィードフォワード制御を実行することの可能な無段変速機の変速制御装置を提供することを目的としている。
【課題を解決するための手段】
【０００８】
上記の目的を達成するために、請求項１の発明は、動力源の出力側に無段変速機が配置されており、この無段変速機の入力回転数と出力回転数との間の変速比を制御する場合に、目標入力回転数と実入力回転数との偏差に基づいて、前記実入力回転数を制御するフィードバック制御をおこなうとともに、目標入力回転数に基づくフィードフォワード制御をおこなう無段変速機の変速制御装置において、前記無段変速機の変速比を変更する要求に基づいて変速用目標入力回転数の変化率を求める場合に、この変速用目標入力回転数の変化率を所定条件により制限する変化率算出手段と、制限された変速用目標入力回転数の変化率に基づいて、前記フィードフォワード制御用の目標入力回転数を求める第１の変速制御手段と、前記フィードフォワード制御用の目標入力回転数に基づいて、前記フィードバック制御用の目標入力回転数を求める第２の変速制御手段とを有していることを特徴とするものである。
【０００９】
請求項２の発明は、請求項１の構成に加えて、前記無段変速機の実入力回転数を圧油の流量により制御する油圧室が設けられており、前記変化率算出手段は、前記油圧室に供給される圧油の最大流量、または前記油圧室から排出される圧油の最大流量に基づいて、前記変速用目標入力回転数の変化率を制限する手段を含むことを特徴とするものである。
【００１０】
請求項３の発明は、請求項１の構成に加えて、前記無段変速機の実入力回転数を圧油の流量により制御する油圧室が設けられており、前記変化率算出手段は、前記フィードバック制御を実行する場合を想定し、このフィードバック制御の実行時に前記油圧室に供給される圧油の流量または前記油圧室から排出される圧油の流量を算出し、算出された圧油の流量に基づいて、前記変速用目標入力回転数の変化率を制限する手段を含むことを特徴とするものである。
【００１１】
請求項４の発明は、請求項１ないし３のいずれかの構成に加えて、前記第２の変速制御手段は、前記フィードフォワード制御用の目標入力回転数と、前記フィードフォワード制御の応答遅れとに基づいて、前記第フィードバック制御用の目標入力回転数を求める手段を含むことを特徴とするものである。
【発明の効果】
【００１２】
請求項１の発明によれば、変速比を急激に変化させる要求が生じた場合でも、変速用目標入力回転数を急激に変化させることなく、複数段階に分けて段階的に変化させること、もしくは徐々に変化させること、あるいは異なる変化率で変化させることが可能であり、変速用目標入力回転数の変化率が零となることを回避できる。したがって、フィードフォワード項が零になることを回避でき、変速過渡時にフィードフォワード制御を適切に実行可能である。
【００１３】
請求項２の発明よれば、請求項１の発明と同様の効果を得られる他に、変速用目標入力回転数の変化率を制限する場合に、油圧室に供給される圧油の最大流量、または油圧室から排出される圧油の最大流量を確保することが可能である。したがって、速度過渡時における制御応答性の低下を抑制することができる。
【００１４】
請求項３の発明によれば、請求項１の発明と同様の効果を得られる他に、変速用目標入力回転数がきめ細かく調整（制限）されるとともに、その変速用目標入力回転数の変化率に基づいてフィードフォワード制御用の目標入力回転数をきめ細かく決定するため、フィードバック制御用の目標入力回転数も一層きめ細かく制御でき、変速ショックを抑制できる。
【００１５】
請求項４の発明によれば、請求項１ないし３の発明と同様の効果を得られる他に、フィードフォワード制御の応答遅れがある場合でも、フィードバック制御用の目標入力回転数に対する実入力回転数の追従性が低下することを抑制できる。
【発明を実施するための最良の形態】
【００１６】
つぎに、この発明の実施例を図面に基づいて説明する。まず、この発明を適用できる車両のパワートレーン、およびその車両の制御系統を、図２に示す。図２に示す車両Ｖｅにおいては、駆動力源１と車輪２との間の動力伝達経路に、流体伝動装置３、ロックアップクラッチ４、前後進切り換え機構５、ベルト式無段変速機６などが設けられている。駆動力源１としては、内燃機関、より具体的には、ガソリンエンジン、ＬＰＧエンジン、ディーゼルエンジンなどを用いることができる。この実施例においては、電子スロットルバルブを有するガソリンエンジンが用いられている場合について説明し、以下、駆動力源１をエンジン１と記す。
【００１７】
また、流体伝動装置３およびロックアップクラッチ４は、エンジン１と前後進切り換え機構５との間の動力伝達経路に設けられており、流体伝動装置３とロックアップクラッチ４とは相互に並列に配置されている。流体伝動装置３は、流体の運動エネルギにより動力を伝達する装置であり、エンジン１の出力軸１Ａに連結されたポンプインペラ３Ａと、中間軸３Ｂに連結されたタービンランナ３Ｃとを有する。ロックアップクラッチ４は、出力軸１Ａと、中間軸３Ｂとの間で、摩擦力により動力を伝達する装置である。前後進切り換え機構５は、遊星歯車機構（図示せず）および摩擦係合装置（図示せず）などを有している。前後進切り換え機構５は、中間軸３Ｂの回転方向と、プライマリシャフト７の回転方向との対応関係を切り換える機能を有している。また、前後進切り換え機構５は、中間軸３Ｂとプライマリシャフト７とを、動力の伝達可能な状態、または動力伝達不可能な状態に切り換える機能を有している。
【００１８】
前記ベルト式無段変速機６は、前後進切り換え機構５と車輪２との間の動力伝達経路に設けられている。ベルト式無段変速機６は、相互に平行に配置されたプライマリシャフト７およびセカンダリシャフト８を有している。このプライマリシャフト７にはプライマリプーリ９が設けられており、セカンダリシャフト８にはセカンダリプーリ１０が設けられている。プライマリプーリ９は、プライマリシャフト７と一体回転し、かつ、プライマリシャフト７の軸線方向に移動不可能な固定シーブ１１と、プライマリシャフト７と一体回転し、かつ、プライマリシャフト７の軸線方向に移動可能に取り付けられた可動シーブ１２とを有している。そして、固定シーブ１１と可動シーブ１２との間に溝Ｍ１が形成されている。また、この可動シーブ１２をプライマリシャフト７の軸線方向に動作させることにより、可動シーブ１２と固定シーブ１１とを接近・離隔させる油圧サーボ機構１３が設けられている。
【００１９】
一方、セカンダリプーリ１０は、セカンダリシャフト８と一体回転し、かつ、セカンダリシャフト８の軸線方向に移動不可能な固定シーブ１４と、セカンダリシャフト８と一体回転し、かつ、セカンダリシャフト８の軸線方向に移動可能に取り付けられた可動シーブ１５とを有している。そして、固定シーブ１４と可動シーブ１５との間にはＶ字形状の溝Ｍ２が形成されている。また、この可動シーブ１５をセカンダリシャフト８の軸線方向に動作させることにより、可動シーブ１５と固定シーブ１４とを接近・離隔させる油圧サーボ機構１６が設けられている。上記構成のプライマリプーリ９およびセカンダリプーリ１０に、無端状のベルト１７が巻き掛けられている。
【００２０】
一方、ベルト式無段変速機６の油圧サーボ機構１３，１６およびロックアップクラッチ４、および前後進切り換え機構５を制御する機能を有する油圧制御装置７０が設けられている。この油圧制御装置７０の構成のうち、油圧サーボ機構１３に関連する構成を、図３に基づいて説明する。まず、油圧サーボ機構１３は、油圧室５０を有しており、油圧室５０の油圧に応じた推力が、プライマリプーリ９の可動シーブ１２に加えられるように構成されている。また、油圧室５０の油圧を制御する変速制御弁５１が設けられている。この変速制御弁５１は、スプールタイプのバルブであって、スプール（図示せず）をその軸線方向に押圧するスプリング５２がスプールの一端部に配置されるとともに、制御ポート５３が設けられている。この制御ポート５３に入力される信号油圧に応じて、スプールに軸線方向の力が加えられる。制御ポート５３の油圧に応じてスプールに加えられる軸線方向の力の向きと、スプリング５２からスプールに加えられる軸線方向の力の向きとは逆になっている。
【００２１】
また、信号油圧を出力する電磁弁５４が設けられており、電磁弁５４から出力された信号油圧が制御ポート５３に入力されるように構成されている。電磁弁５４は、制御ポート５３に加える信号油圧を出力するためのものであって、ライン圧ＰＬもしくはこれを調圧したソレノイドモジュレータ圧を基圧として、デューティ比に応じた信号油圧を出力する公知の構成の電磁弁である。この実施例では、デューティ比が零％である場合に信号油圧が最高圧となり、デューティ比が１００％である場合に、信号油圧が最低圧となる構成の電磁弁、いわゆるノーマルオープン形式の電磁弁が用いられている。
【００２２】
また、変速制御弁５１は入力ポート５５および出力ポート５６およびドレーンポート５７を有しており、油圧系統の全体の元圧であるライン圧ＰＬが、入力ポート５５に供給されるように構成されている。前記出力ポート５６と油圧室５０とが油路５８により接続されており、スプールが軸線方向に移動することにより、出力ポート５６を、入力ポート５５またはドレーンポート５７に選択的に切り替えて接続するように構成されている。さらに、スプールの軸線方向において前記制御ポート５３とは反対側にフィードバックポート５９が形成されている。そして、前記出力ポート５６の油圧をこのフィードバックポート５９に作用させるようになっている。フィードバックポート５９の油圧に応じて、スプリング５２と同じ向きの力がスプールに加えられる。
【００２３】
そして、電磁弁５４のデューティ比を高めて信号油圧を低下させるほど、出力ポート５６とドレーンポート５７との連通面積が拡大されて、油圧室５０から排出される圧油の流量が増加する。これに対して、電磁弁５４のデューティ比を低下させて信号油圧を上昇させるほど、入力ポート５５と出力ポート５６との連通面積が拡大されて、入力ポート５５から油圧室５０に供給される圧油の流量が増加する。
【００２４】
さらに、エンジン１、ロックアップクラッチ４、前後進切り換え機構５、ベルト式無段変速機６、油圧制御装置７０を制御するコントローラとしての電子制御装置１８が設けられており、この電子制御装置１８に対しては、エンジン回転数、アクセルペダルの操作状態（アクセル開度）、ブレーキペダルの操作状態、スロットルバルブの開度、シフトポジション、プライマリシャフト７の回転数、セカンダリシャフト８の回転数などを検知する各種のセンサ（図示せず）の信号が入力される。電子制御装置１８により検知されるシフトポジションとしては、パーキングポジション、リバースポジション、ニュートラルポジション、ドライブポジションなどが挙げられる。また、セカンダリシャフト８の回転数に基づいて車速が求められる。
【００２５】
前記電子制御装置１８には各種のデータが記憶されており、電子制御装置１８に入力される信号、および記憶されているデータに基づいて、電子制御装置１８から、エンジン１を制御する信号、ベルト式無段変速機６を制御する信号、前後進切り換え機構５を制御する信号、ロックアップクラッチ４を制御する信号、油圧制御装置７０を制御する信号などが出力される。
【００２６】
電子制御装置１８に記憶されているデータとしては、エンジン制御マップ、変速機制御マップ、ロックアップクラッチ制御マップなどが挙げられる。この変速機制御マップには、変速比制御マップ、トルク容量の制御マップなどが含まれる。前記エンジン制御マップには、エンジン回転数およびエンジントルクをパラメータとして、最適燃費線が設定されている。また、変速比制御マップは、車速、アクセル開度などに基づいて、ベルト式無段変速機６の変速比を設定するマップである。トルク容量制御マップは、ベルト式無段変速機６のトルク容量を制御する場合に用いるマップである。また、ロックアップクラッチ制御マップは、車速、アクセル開度などに基づいて、ロックアップクラッチ４のトルク容量を設定するマップである。
【００２７】
つぎに、図２に示す車両Ｖｅの作用を説明する。前記パーキングポジションおよびニュートラルポジションは非駆動ポジションであり、この非駆動ポジションが選択された場合は、前後進切り換え機構５が制御されて、エンジン１と車輪２との間で動力伝達が不可能な状態となる。これに対して、リバースポジションおよびドライブポジションは駆動ポジションであり、駆動ポジションが選択された場合は、前後進切り換え機構５が制御されて、エンジン１と車輪２との間で動力伝達が可能な状態となる。
【００２８】
そして、駆動ポジションが選択され、エンジン１からトルクが出力された場合は、前後進切り換え機構５を経由して、ベルト式無段変速機６のプライマリシャフト７にトルクが伝達される。プライマリシャフト７のトルクは、ベルト１７を経由してセカンダリシャフト８に伝達される。そして、セカンダリシャフト８のトルクが車輪２に伝達されて駆動力が発生する。
【００２９】
ここで、ベルト式無段変速機６の変速制御を説明する。前記の変速比制御マップに基づいて、ベルト式無段変速機６の変速比が制御される。まず、油圧サーボ機構１３により、プライマリプーリ９の可動シーブ１２を軸線方向に動作させる推力が調整される。また、油圧サーボ機構１６により、セカンダリプーリ１０の可動シーブ１５を軸線方向に動作させる推力が調整される。そして、可動シーブ１２の軸線方向の動作に応じて溝Ｍ１の幅が変化し、可動シーブ１５の軸線方向の動作に応じて溝Ｍ２の幅が変化する。
【００３０】
上記のようにして、溝Ｍ１の幅が調整されると、プライマリプーリ９におけるベルト１７の巻き掛け半径と、セカンダリプーリ１０におけるベルト１７の巻き掛け半径との比が変化する。その結果、プライマリシャフト７の回転数と、セカンダリシャフト８の回転数との比、すなわち変速比が変化する。具体的には、油圧サーボ機構１３により推力が調整されて、溝Ｍ１の幅が狭められると、プライマリプーリ９におけるベルト１７の巻き掛け半径が大きくなり、ベルト式無段変速機６の変速比が小さくなるように変速（アップシフト）する。これに対して、油圧サーボ機構１３により推力が調整されて、溝Ｍ１の幅が広げられると、プライマリプーリ９におけるベルト１７の巻き掛け半径が小さくなり、ベルト式無段変速機６の変速比が大きくなるように変速（ダウンシフト）する。
【００３１】
また、この変速比の制御に伴い、ベルト式無段変速機６のトルク容量が、つぎのようにして制御される。すなわち、油圧サーボ機構１６により推力が調整されて、セカンダリシャフト８の溝Ｍ２の幅が調整される。溝Ｍ２の幅が調整されると、セカンダリプーリ１０からベルト１７に加えられる挟圧力、およびベルト１７の張力が変化する。このような原理により、プライマリシャフト７とセカンダリシャフト８との間で伝達されるトルクの容量が制御される。具体的には、油圧サーボ機構１６の推力が調整されて、ベルト１７に加えられる挟圧力が増加すると、ベルト１７のトルク容量が増加する。これに対して、油圧サーボ機構１６の推力が調整されて、セカンダリプーリ１０からベルト１７に加えられる挟圧力が減少すると、ベルト１７のトルク容量が低下する。
【００３２】
つぎに、ベルト式無段変速機６の変速比の制御の概略を、図４のフローチャートに基づいて説明する。なお、この制御ルーチンは、数ｍｓないし数十ｍｓ毎の周期で繰り返し実行される。まず、フィードフォワード制御用目標入力回転数ＮＩＮＴＦＦおよびフィードバック制御用目標入力回転数ＮＩＮＴＦＢを算出し（ステップＳ１）、このステップＳ１の算出結果に基づいて、ベルト式無段変速機６における変速制御量を求め（ステップＳ２）、この制御ルーチンを終了する。
【００３３】
上記のステップＳ１の処理内容を、図１のフローチャートに基づいて具体的に説明する。まず、ベルト式無段変速機６の変速比を制御するために、基本目標入力回転数ＮＩＮＣが算出される（ステップＳ１０１）。このステップＳ１０１の処理を具体的に説明する。例えば、車速、アクセル開度をパラメータとして要求駆動力が算出され、要求駆動力の算出結果に基づいてエンジン１の運転状態を決定する。すなわち、エンジン出力が最適燃費曲線に沿ったものとなるように、目標エンジン回転数および目標エンジントルクを決定する。そして、ベルト式無段変速機６の変速比を制御して、実エンジン回転数を目標エンジン回転数に近づけるために、基本目標入力回転数ＮＩＮＣが算出される。
【００３４】
前記のステップＳ１０１についで、ベルト式無段変速機６の変速比を急激に大きくする（以下、急ダウンシフト制御と記す）要求があるか否かが判断される（ステップＳ１０２）。このステップＳ１０２で否定的に判断された場合は、通常制御で用いるフィードフォワード制御用の目標入力回転数ＮＩＮＴＦＦが算出され（ステップＳ１０３）、ステップＳ１１０に進む。通常制御とは、ベルト式無段変速機６の変速比の変化程度が緩やかな制御を意味する。このステップＳ１０３においては、下記の算出式により、基本目標入力回転数ＮＩＮＣになまし処理を施し、目標入力回転数ＮＩＮＴＦＦが算出される。
ＮＩＮＴＦＦ（ｉ）＝ＮＩＮＴＦＦ（ｉ−１）＋Ｋ１×（ＮＩＮＣ（ｉ）−
ＮＩＮＴＦＦ（ｉ−１））＋Ｋ２            ・・・（１）
上記の式（１）において、「Ｋ１」はなまし係数であり、「Ｋ２」は補正値（零でもよい）である。また、上記の式（１）および後述する各式において、「（ｉ）」は、制御ルーチンの実行周期における（ｉ）番目の周期、つまり、「今回」を意味し、上記の式（１）および後述する各式において、「（ｉ−１）」は「前回」を意味する。なお、ステップＳ１１０の処理については後述する。
【００３５】
これに対して、ステップＳ１０２の判断時点において、アクセル開度が所定開度以上に増加した場合、またはアクセル開度の増加速度が所定速度以上である場合は、ステップＳ１０２で肯定的に判断される。なお、ステップＳ１０２の判断に用いるアクセル開度のしきい値、またはアクセル開度の増加速度のしきい値は、車速、ベルト式無段変速機６の変速比などにより変更することも可能である。
【００３６】
このようにして、ステップＳ１０２で肯定的に判断された場合は、急ダウンシフト制御用の目標入力回転数ＮＩＮＴＱＤが算出される（ステップＳ１０４）。この目標入力回転数ＮＩＮＴＱＤは、ステップＳ１０２で肯定判断されてから所定時間までの間は、ステップ的に上昇する特性で設定され、所定時間の経過後は、勾配で上昇する特性で設定される。このステップＳ１０４の処理を具体的に説明する。なお、「所定時間」の意味は後述する。
【００３７】
まず、
ＮＩＮＴＱＤ−ＮＩＮ＞ＤＮＩＮＳＴＰＥ          ・・・（２）
が成立しているか否かが判断される。上記の式（２）において、ＮＩＮＴＱＤは、急ダウンシフト制御用の目標入力回転数の基準値であり、ＮＩＮはベルト式無段変速機６の実入力回転数である。ここで、基準値ＮＩＮＴＱＤは、アクセル開度、車速などに基づいて、予め設定されており、目標入力回転数をステップ的に変化させる特性で設定される。そして、上記の式（２）が成立した場合としない場合とでは、目標入力回転数ＮＩＮＴＱＤの算出方法が異なる。なお、上記の式（２）が成立した場合とは、「所定時間が経過する前」であり、上記の式（２）が成立しない場合とは、「所定時間の経過後」である。
【００３８】
上記の式（２）が成立した場合は、目標入力回転数ＮＩＮＴＱＤを、
ＮＩＮＴＱＤ＝ＤＮＩＮＴＱＤ０＋Ｋ３×（ＮＩＮＣ−ＮＩＮＴＱＤ０）
・・・（３）
として算出する。これに対して、上記の式（２）が不成立である場合は、目標入力回転数ＮＩＮＴＱＤを、
ＮＩＮＴＱＤ（ｉ）＝ＮＩＮＴＱＤ（ｉ−１）
＋ＤＬＴＮＩＮＴＱＤ            ・・・（４）
として算出する。
【００３９】
上記の式（２）において、ＤＮＩＮＳＴＰＥは、ステップ変速が終了したか否かの判定に用いる回転数差（しきい値）である。ここで、「ステップ変速が終了した」とは、「実入力回転数ＮＩＮと基準値ＮＩＮＴＱＤとの差が所定値以下になった」との意味である。また、式（３）において、ＤＮＩＮＴＱＤ０は、ステップＳ１０２で肯定判断された時点における実入力回転数ＮＩＮであり、式（３）において、Ｋ３は、ステップ係数である。ここで、ステップ係数Ｋ３は、
０≦Ｋ３≦１．０
に設定される。さらに、上記の（４）において、ＤＬＮＩＮＴＱＤは、ステップ変速の終了後における目標入力回転数の上昇値である。
【００４０】
上記のステップＳ１０４についで、ベルト式無段変速機６の目標入力回転数の変化速度ＤＬＴＮＩＮＴが算出される（ステップＳ１０５）。このステップＳ１０５の処理を具体的に説明すると、前記基準値ＮＩＮＴＱＤと、フィードフォワード制御用の目標入力回転数の前回値ＮＩＮＴＦＦ（ｉ−１）とに基づいて、変化速度ＤＬＴＮＩＮＴが、式（５）により算出される。
ＤＬＴＮＩＮＴ＝Ｋ４×（ＮＩＮＴＱＤ（ｉ）−ＮＩＮＴＦＦ（ｉ−１））
＋Ｋ５                            ・・・（５）
【００４１】
上記の式（５）において、「Ｋ４」はなまし係数であり、「Ｋ５」は補正値（零でもよい）である。なお、前回値ＮＩＮＴＦＦ（ｉ−１）については後述する。上記のステップＳ１０５についで、変化速度ＤＬＴＮＩＮＴのガード値ＤＬＴＮＩＮＴＧが算出される（ステップＳ１０６）。このステップＳ１０６において、ガード値ＤＬＴＮＩＮＴＧの算出方法は２つある。
【００４２】
（第１の算出方法）
ガード値の第１の算出方法について説明する。まず、ベルト式無段変速機６における最大変速速度を、油圧制御装置７０の構造的な条件に基づいて算出する。前述したように、ベルト式無段変速機６における変速比の変更は、油圧室５０に対する圧油の供給、もしくは油圧室５０からの圧油の排出により実行される。
【００４３】
そして、この実施例では、電磁弁５４のデューティ比を制御することにより、油圧室５０における圧油の流量を制御しているため、電磁弁５４のデューティ比が１００％である場合に、油圧室５０から排出される圧油の流量が最大となる。また、油圧室５０から油路５８に排出される圧油の流量は、油圧室５０が高圧であるほど大流量となる。そこで、電磁弁５４のデューティ比が１００％である場合に、油圧室５０の油圧Ｐｉｎをパラメータとした圧油の排出流量を示すマップを予め設定しておき、前述した所定時間内において、油圧室５０から排出される圧油の流量を求める。ついで、算出された圧油の流量Ｑを、可動シーブ１２の受圧面積Ａｉｎで除した値に基づいて、可動シーブ１２の軸線方向の移動量ＤＸＧを求める。この可動シーブ１２の軸線方向の移動量ＤＸＧとは、油圧室５０の圧油の排出流量が最大である場合を想定して、制御ルーチンの１周期あたりにおける可動シーブ１２の移動量を意味する。
【００４４】
そして、ベルト式無段変速機６の変速比と、可動シーブ１２の軸線方向の位置との関係を表したマップから、現時点における可動シーブ１２の軸線方向の位置ＷＤＸＧＤ０を求める。ここで、ベルト式無段変速機６の変速比と、可動シーブ１２の軸線方向の位置との関係を表したマップの一例を、図５に示す。図５のマップに示すように、所定の変速比に対応する基準位置を境として、正方向および逆方向が設定されている。そして、この図５のマップを用いれば、現時点における変速比から、ステップＳ１０２で肯定的に判断された時点における可動シーブ１２の軸線方向の位置ＷＤＸＧＤ０を求めることが可能である。
【００４５】
さらに、現時点における可動シーブ１２の軸線方向の位置ＷＤＸＧＤ０に、前述した移動量ＤＸＧを加えて、所定時間の経過後（制御ルーチンの１周期を実行後）における可動シーブ１２の軸線方向の位置ＷＤＸＧ１を求める。この場合も、図５のマップを用いればよい。ついで、所定時間後における可動シーブ１２の軸線方向の位置ＷＤＸＧ１から、所定時間後におけるベルト式無段変速機６の変速比γ１を求める。この場合も、図５のマップを用いればよい。
【００４６】
さらに、所定時間後における実入力回転数ＮＩＮ１を、
γ１×ＮＯＵＴ
として算出する。ここで、「ＮＯＵＴ」は所定時間後における出力回転数である。そして、ガード値ＤＬＴＮＩＮＴＧを、
ＤＬＴＮＩＮＴＧ＝ＮＩＮ１−ＮＩＮ
として求める。
【００４７】
（第２の算出方法）
つぎに、ステップＳ１０６におけるガード値ＤＬＴＮＩＮＴＧの第２の算出方法を説明する。これは、目標入力回転数ＮＩＮＴＱＤと実入力回転数ＮＩＮとの偏差を小さくするフィードバック制御を実行する場合を想定して、油圧室５０から排出される圧油の流量を算出し、この圧油の流量ＤＱＳＣ ＦＢに基づいて、ガード値ＤＬＴＮＩＮＴＧを算出する方法である。ここで、流量ＤＱＳＣ ＦＢは、次式により求めることが可能である。
ＤＱＳＣ ＦＢ＝Ｋｐ×（ΔＮ＋Ｋｉ×∫ΔＮ）        ・・・（６）
上記の式（６）において、「Ｋｉ」および「Ｋｐ」は共に係数であり、ΔＮは、「ＮＩＮＴＱＤ−ＮＩＮ」で求められる。そして、算出された圧油の流量と、目標入力回転数の変化速度のガード値との関係を示すマップ（図示せず）などに基づいて、ガード値を求める。
【００４８】
上記のステップＳ１０６の処理に次いで、
ＤＬＴＮＩＮＴ＞ＤＬＴＮＩＮＴＧ
であるか否かが判断される（ステップＳ１０７）。このステップＳ１０７で肯定的に判断された場合は、ガード値ＤＬＴＮＩＮＴＧを、変化速度ＤＬＴＮＩＮＴとして取り扱う処理を実行し（ステップＳ１０８）、ステップＳ１０９に進む。これに対して、ステップＳ１０７で否定的に判断された場合は、ステップＳ１０８を迂回してステップＳ１０９に進む。このステップＳ１０９においては、急ダウンシフト時におけるフィードフォワード制御用の目標入力回転数ＮＩＮＴＦＦを、次式により算出する。
ＮＩＮＴＦＦ（ｉ）＝ＮＩＮＴＦＦ（ｉ−１）＋ＤＬＴＮＩＮＴ
【００４９】
上記のステップＳ１０９についで、フィードバック制御用の目標入力回転数ＮＩＮＴＦＢを算出し（ステップＳ１１０）、この制御ルーチンを終了する。ステップＳ１１０においては、例えば、次式（７）を用いることが可能である。
ＮＩＮＴＦＢ（ｉ）＝ＮＩＮＴＦＢ（ｉ−１）＋Ｋ６×（ＮＩＮＴＦＦ（ｉ−Ｋ７）
−ＮＩＮＴＦＢ（ｉ−１））                  ・・・（７）
上記の式（７）において、Ｋ７は無駄時間係数（無駄時間／１周期時間）、Ｋ６は一時遅れ係数である。なお、無駄時間、一時遅れ係数は、フィードバック制御を禁止し、かつ、フィードフォワード制御のみを実施する変速制御の実験をおこない、変化速度ＤＬＴＮＩＮＴに対する実変速の遅れに基づいて、実験的に設定される。
【００５０】
つぎに、図４のステップＳ２の処理について説明する。前述したベルト式無段変速機６の変速制御量とは、具体的には、電磁弁５４のデューティ比の制御を意味する。まず、目標入力回転数ＮＩＮＴＦＢに対する実入力回転数ＮＩＮの偏差を算出し、その偏差が零となるように、フィードバック制御用のデューティ比Ｄｆｂ（ｉ）を算出する。このようなデューティ比Ｄｆｂ（ｉ）の算出は、公知のフィードバック制御技術によりおこなえばよい。
【００５１】
また、ベルト式無段変速機６の変速比を、γ（ｉ）からγ（ｉ＋１）に変更するために必要な圧油の排出量を算出し、その圧油の排出量に基づいて、フィードフォワード制御用のデューティ比Ｄｆｆ（ｉ）を算出する。このデューティ比Ｄｆｆ（ｉ）は、プライマリプーリ９の実入力回転数を、目標入力回転数の変化傾向に合わせようとするフィードフォワード制御のデューティ比である。そして、フィードバック制御用のデューティ比Ｄｆｂ（ｉ）およびフィードフォワード制御用のデューティ比Ｄｆｆ（ｉ）に基づいて、変速出力デューティ比Ｄｒ（ｉ）を算出する。例えば、
Ｄｒ（ｉ）＝αＤｆｂ（ｉ）＋βＤｆｆ（ｉ）        ・・・（８）
として算出可能である。ここで、αおよびβは係数である。
【００５２】
つぎに、図１および図４の制御例に対応するタイムチャートの一例を、図６に基づいて説明する。時刻ｔ１以前においては、アクセル開度が略一定であり、実線で示す基本目標入力回転数ＮＩＮＣも略一定であり、実入力回転数ＮＩＮと基本目標入力回転数ＮＩＮＣとが一致しており、目標入力回転数の変化速度は略一定になっている。時刻ｔ１でアクセル開度が急激に増加され、その後は、増加されたアクセル開度に維持されている。このようなアクセル開度の変化にともない、基本目標入力回転数ＮＩＮＣも急激に（ステップ的に）上昇し、かつ、略一定に制御されている。また、実線で示す目標入力回転数ＮＩＮＴＱＤもステップ的に上昇し、時刻ｔ２以降、目標入力回転数ＮＩＮＴＱＤは、所定の勾配で緩やかに上昇し、時刻ｔ４で、基本目標入力回転数ＮＩＮＣと急ダウンシフト用目標入力回転数ＮＩＮＴＱＤとが一致している。上記の時刻ｔ１から時刻ｔ２までの間が、ステップＳ１０４の処理で説明した「所定時間」に相当する。
【００５３】
上記の時刻ｔ１から時刻ｔ４までの間、目標入力回転数ＮＩＮＴＱＤは、基本目標入力回転数ＮＩＮＣよりも低回転数に設定されている。さらに、ステップＳ１０５で算出される変化速度ＤＬＴＮＩＮＴの一例が、示されている。ここでは、ステップＳ１０５で算出された変速速度ＤＬＴＮＩＮＴが、ガード値ＤＬＴＮＩＮＴＧよりも高速である場合が示されている。また、目標入力回転数ＮＩＮＴＦＦは、時刻ｔ１から時刻ｔ２の間は所定の勾配で上昇し、時刻ｔ２から時刻ｔ４の間は、目標入力回転数ＮＩＮＴＱＤと目標入力回転数ＮＩＮＴＦＦとが一致している。ここで、時刻ｔ１から時刻ｔ２の間における目標入力回転数ＮＩＮＴＦＦの上昇勾配よりも、時刻ｔ２から時刻ｔ４の間における目標入力回転数ＮＩＮＴＦＦの上昇勾配の方が緩やかである。
【００５４】
また、実線で示す目標入力回転数ＮＩＮＴＦＢも、時刻ｔ１から時刻ｔ２の間は所定の勾配で上昇し、時刻ｔ２から時刻ｔ４の間も所定の勾配で上昇している。時刻ｔ１から時刻ｔ４の間、目標入力回転数ＮＩＮＴＦＢは、常に目標入力回転数ＮＩＮＴＦＦよりも低回転数である。また、時刻ｔ１から時刻ｔ２の間における目標入力回転数ＮＩＮＴＦＢの上昇勾配よりも、時刻ｔ２から時刻ｔ４の間における目標入力回転数ＮＩＮＴＦＢの上昇勾配の方が緩やかである。なお、時刻ｔ５において、目標入力回転数ＮＩＮＴＦＢと、基本目標入力回転数ＮＩＮＣとが一致している。
【００５５】
そして、フィードバック制御のみを実行した場合を想定した実入力回転数ＮＩＮが破線で示されており、フィードバック制御のみが実行された場合は、時刻ｔ２前後において、実入力回転数ＮＩＮが、目標入力回転数ＮＩＮＴＦＢよりも高速となり、その後に、低速となってから、時刻ｔ３で実入力回転数ＮＩＮが、目標入力回転数ＮＩＮＴＦＢに一致するような現象、すなわちオーバーシュート現象が発生する。
【００５６】
一方、無駄時間係数および一時遅れを考慮することなく、目標入力回転数ＮＩＮＴＦＦをフィードバック制御用の目標入力回転数とした場合、あるいはフィードバック制御用のゲインが大きい場合において、前述したフィードフォワード制御による無駄時間および一時遅れを考慮せずに、フィードバック制御を実行すると、実入力回転数ＮＩＮが一点鎖線で示すような特性で変化する。つまり、実入力回転数ＮＩＮの勾配は、目標入力回転数ＮＩＮＴＦＦの勾配よりも急勾配になる。これは、実入力回転数ＮＩＮの勾配が目標入力回転数ＮＩＮＴＦＦになるように、フィードフォワード制御するとともに、目標入力回転数ＮＩＮＴＦＦと実入力回転数ＮＩＮとの偏差によるフィードバック制御量が加算されるため、必要以上に変速比が変化するためである。これに対して、ステップＳ１１０で説明した無駄時間および一時遅れを考慮して、フィードバック制御を実行すると、実入力回転数ＮＩＮを、実線のように目標入力回転数ＮＩＮＦＢに一致させながら、ダウンシフトを実行することが可能になる。
【００５７】
以上のように、この実施例においては、ベルト式無段変速機６で急ダウンシフトの実行要求が生じた場合は、目標入力回転数ＮＩＮＴＦＦを、時刻ｔ１から時刻ｔ２の間と、時刻ｔ２から時刻ｔ４の間というように、２段階に変化させること、もしくは徐々に変化させること、あるいは異なる変化速度にすることが可能であり、目標入力回転数ＮＩＮＴＦＦの変化率が零となることを回避できる。したがって、フィードフォワード項が零になることを回避できるとともに、変速過渡時にフィードフォワード制御を適切に実行可能である。
【００５８】
また、目標入力回転数ＮＩＮＴＱＤと実入力回転数ＮＩＮとの偏差が大きい場合は、第１の算出方法で算出されたガード値ＤＬＴＮＩＮＴＧを用いて、変化速度ＤＬＴＮＩＮＴを決定し、決定された変化速度ＤＬＴＮＩＮＴに基づいて、目標入力回転数ＮＩＮＴＦＢを決定すれば、油圧室５０から排出される圧油の最大流量を確保しながら、ダウンシフトを実行することができる。したがって、ダウンシフト制御の過渡時における制御応答性の低下を抑制することができる。
【００５９】
一方、目標入力回転数ＮＩＮＴＱＤと実入力回転数ＮＩＮとの偏差が小さい場合は、変化速度ＤＬＴＮＩＮＴをガード値ＤＬＴＮＩＮＴＧで制限する場合において、第２の算出方法で算出されたガード値を用いると、目標入力回転数ＮＩＮＴＱＤがきめ細かく調整（制限）されて、目標入力回転数ＮＩＮＴＦＢをもきめ細かく調整可能となり、変速ショックを抑制できる。このように、目標入力回転数ＮＩＮＴＱＤと実入力回転数ＮＩＮとの偏差が大きい場合および小さい場合を含めた全体の制御として、制御応答性の向上とショックの抑制とを両立することができる。なお、目標入力回転数ＮＩＮＴＱＤと実入力回転数ＮＩＮとの偏差が小さい場合は、フィードバック制御の際における電磁弁５４のデューティ比は１００％以下となる可能性があり、フィードフォワード制御を実行しない場合の変速応答性と同等の変速応答性となる。
【００６０】
さらに、フィードフォワード制御の応答遅れがある場合でも、無駄時間および一時遅れを考慮して、目標入力回転数ＮＩＮＴＦＢを決定することにより、目標入力回転数ＮＩＮＴＦＢに対する実入力回転数ＮＩＮの追従性が低下することを抑制できる。なお、上記制御例では、ベルト式無段変速機６の変速比を急激に大きくするダウンシフトについて説明しているが、ベルト式無段変速機６の変速比を小さくするアップシフトの場合に、この発明を適用することも可能である。この場合、アップシフト要求により各目標入力回転数が低下し、実入力回転数も低下することとなる。さらに、油圧室５０に供給される圧油の流量を制御することとなる。
【００６１】
ここで、この実施例で説明した構成と、この発明の構成との対応関係を説明すると、エンジン１が、この発明の動力源に相当し、ベルト式無段変速機６が、この発明の無段変速機に相当し、油圧室５０が、この発明の油圧室に相当する。また、図１に示された機能的手段と、この発明の構成との対応関係を説明すると、ステップＳ１０２，Ｓ１０４，Ｓ１０５，Ｓ１０６，Ｓ１０７が、この発明の変化率算出手段に相当し、ステップＳ１０９が、この発明の第１の変速制御手段に相当し、ステップＳ１１０が、この発明の第２の変速制御手段に相当する。また、急ダウンシフト用の目標入力回転数ＮＩＮＩＮＴＱＤが、この発明の変速用目標入力回転数に相当する。
【００６２】
また、目標入力回転数の変化速度ＤＬＴＮＩＮＴが、この発明の「変速用目標入力回転数の変化率」に相当する。また、ステップＳ１０８の処理で求められた「目標入力回転数の変化速度ＤＬＴＮＩＮＴ」が、この発明の「制限された変速用目標入力回転数の変化率」に相当する。このような技術的意義に基づいて、各請求項に記載された発明においては、無段変速機の入力回転速度および出力回転速度に基づいて無段変速機の変速比を制御する技術も含まれる。また、目標入力回転数の変化率を、目標入力回転速度の変化率と読み替えた技術も、各請求項の発明に含まれる。さらに、この発明における変化率とは、経時的な変化状態を意味しており、したがって、入力回転数（入力回転速度）の変化勾配、変化程度、変化割合なども、入力回転数の変化率と等価のパラメータであり、これらの技術も、請求項に記載された「入力回転数の変化率」に含まれる。さらに、油圧室５０に供給される圧油の最大流量、または油圧室５０から排出される圧油の最大流量が、この発明における「所定条件」に含まれる。さらに、「フィードバック制御を実行する場合を想定し、フィードバック制御の実行時に油圧室５０に供給される圧油の流量、または油圧室５０から排出される圧油の流量」も、この発明における「所定条件」に含まれる。
【００６３】
なお、この発明における無段変速機には、ベルト式無段変速機の他に、トロイダル式無段変速機も含まれる。トロイダル式無段変速機とは、トロイダル面を有する入力ディスクおよび出力ディスクと、各ディスクに対して接触するパワーローラとを有する変速機である。各ディスクとパワーローラとの接触面には潤滑油が存在する。そして、パワーローラを、各ディスクの軸線に直交する平面内で直線状に移動させて、パワーローラと各ディスクとの接触半径を調整することにより、入力ディスクの入力回転数と、出力ディスクの出力回転数と間の変速比が制御される。また、各ディスクとパワーローラとの接触面圧を調整することにより、入力ディスクと出力ディスクとの間で伝達されるトルクの容量が制御される。
【００６４】
すなわち、各ディスクとパワーローラとの接触面圧を高圧にすると、潤滑油がガラス状になり、いわゆるトラクション伝動により、入力回転部材と出力回転部材との間で動力の伝達がおこなわれる。このように、各ディスクとパワーローラとの接触面圧を調整するための油圧サーボ機構が設けられている。油圧サーボ機構は、ピストンと、各ピストンを動作させる油圧室とを有している。また、パワーローラを各ディスクの軸線に直交する平面内で直線状に移動させる油圧サーボ機構が設けられている。この油圧サーボ機構は、油圧室を有しており、この油圧室の油圧を制御することにより、トロイダル式無段変速機の変速比が制御される。
【図面の簡単な説明】
【００６５】
【図１】この発明の実施例であるベルト式無段変速機で実行可能な制御例の一部を示すフローチャートである。
【図２】この発明の適用対象である車両のパワートレーンおよびその制御系統を示す概念図である。
【図３】図２に示されたベルト式無段変速機のプライマリプーリの油圧室に対応する油圧回路である。
【図４】この発明の実施例であるベルト式無段変速機で実行可能な制御例の概略を示すフローチャートである。
【図５】図１の制御例で用いられ、かつ、変速比と可動シーブの位置との関係を示すマップである。
【図６】この発明の制御例に対応するタイムチャートである。
【符号の説明】
【００６６】
１…エンジン、  ６…ベルト式無段変速機、  １８…電子制御装置、  ５０…油圧室、  ５１…変速制御弁、  ５４…電磁弁、  ５８…油路、  ７０…油圧制御装置。
【図１】
2006144977.tif 000003
【図２】
2006144977.tif 000004
【図３】
2006144977.tif 000005
【図４】
2006144977.tif 000006
【図５】
2006144977.tif 000007
【図６】
2006144977.tif 000008